(57)【要約】【課題】排水ポンプ及びサイフォン現象による同時的排水を行い、相対的に短い時間での排水をすることができ、また、水を洗浄槽に連通する水位検出器に還流させて、水位検出器の内部の残滓を洗い流しつつ排水をすることができる食器洗浄機を提供する。【解決手段】排水ポンプ７に連なる排水管１５を分岐させて分岐管１６を設け、分岐管１６に電磁弁１４を設けてサイフォン現象が発生する構成にし、分岐管１６を水位検出器１９に連通させて、水位検出器１９の内部に水が還流する構成にした。【選択図】図３
2007319604.tif 000002
【特許請求の範囲】
【請求項１】
洗浄槽と該洗浄槽を収容している筐体との間に設けられている排水ポンプと、該排水ポンプから延設されており、出口が入口よりも低い位置に設けられている排水管と、該排水管の途中に設けられている圧抜き手段とを備える食器洗浄機において、排水を行うときに前記圧抜き手段を閉じ且つ前記排水ポンプを作動させ、排水を停止させる停止信号が入力されたときには前記圧抜き手段を開き且つ前記排水ポンプの作動を停止する制御手段を備えることを特徴とする食器洗浄機。
【請求項２】
前記排水ポンプの出力パターンを記憶している記憶手段と、該記憶手段に記憶している出力パターンに従い前記排水ポンプの出力を変化させて前記排水ポンプを作動させる出力パターン対応制御手段とを備えることを特徴とする請求項１に記載の食器洗浄機。
【請求項３】
前記洗浄槽内に供給されている水の水位を検出する水位検出器と、該水位検出器が検出した水位に応じて前記排水ポンプの出力を変化させて前記排水ポンプを作動させる水位対応制御手段とを備えることを特徴とする請求項１又は２に記載の食器洗浄機。
【請求項４】
前記排水ポンプ内を流れる水の流量を検出する流量検出器と、該流量検出器が検出した水の流量に応じて前記排水ポンプの出力を変化させて前記排水ポンプを作動させる流量対応制御手段とを備えることを特徴とする請求項１乃至３のいずれか一つに記載の食器洗浄機。
【請求項５】
前記洗浄槽の底面の一部を窪ませてなる貯水部の底面以下であり、且つ前記筐体底部に向けて開口している前記排水ポンプのポンプ吸込口以下の位置に前記排水管の入口が設けられていることを特徴とする請求項１乃至４のいずれか一つに記載の食器洗浄機。
【請求項６】
洗浄槽と該洗浄槽を収容している筐体との間に設けられている排水ポンプと、該排水ポンプから延設されており、出口が入口よりも低い位置に設けられている排水管とを備える食器洗浄機において、前記洗浄槽に連通しており前記洗浄槽内に供給されている水の水位を検出する水位検出器と、前記排水管から分岐しており前記水位検出器に連通している分岐管と、該分岐管の内部の通流を閉止する閉止手段と、排水を行うときに前記閉止手段による前記分岐管の内部の通流の閉止を解除させる閉止解除制御手段とを備えることを特徴とする食器洗浄機。
【発明の詳細な説明】
【技術分野】
【０００１】
本発明は排水ポンプの作動時間を短縮し、効率的に洗浄槽内の残水の低減を行う食器洗浄機に関する。
【背景技術】
【０００２】
従来の食器洗浄機にあっては、排水ポンプを作動させて、洗浄槽内の水を排水する食器洗浄機がある（特許文献１参照）。また、排水ポンプに接続されている排水管を分岐させ、排水管を筐体外へ延設し、排水管の途中から分岐させている分岐管を設け、溜めすすぎの場合は分岐管内を通流させておき、排水運転を行う場合は分岐管を塞ぐ食器洗浄機がある。これは、溜めすすぎの場合は、サイフォン現象を発生させずに排水ポンプを作動させ、分岐管に水を通流させて、水を分岐管から洗浄槽の内部に還流させ、排水を行う場合は、分岐管内の通流を閉止し、排水ポンプを作動させて、サイフォン現象を発生させて排水を行い、排水ポンプの作動を停止させた後も排水を継続させるというものである（特許文献２参照）。
【特許文献１】特開２００５−３３４０１７号公報
【特許文献２】実開平２−５５８６８号公報
【発明の開示】
【発明が解決しようとする課題】
【０００３】
特許文献１に記載の食器洗浄機にあっては、排水の際に排水ポンプを相対的に高い出力で長時間用いることにより、動作音が長時間発生し、利用者の耳障りになる虞があった。
特許文献２に記載の食器洗浄機にあっては、サイフォン現象による排水が行われている途中に扉が開かれ、排水が行われている途中に食器洗浄機を一時停止させた場合でも、排水が継続して行われ、再稼動させる際には一時停止させた時点とは異なる状態にあることから、再稼動に不具合が生じる虞があった。
また、排水は洗浄ポンプ内部を通流して行われるため、排水ポンプの吸込み部分に、空気又は食器の洗浄時に発生する泡が侵入し、サイフォン現象が継続できず、効率的な排水ができない場合があった。また、排水ポンプを停止させて排水を行うと、排水ポンプの内部を通流して排水が行われることから、排水ポンプを作動させているモータに起電力が生じ、モータを駆動する制御部に影響が出る虞があった。
【０００４】
本発明はかかる事情を鑑みてなされたものであり、排水を行うときに圧抜き手段を閉じ且つ排水ポンプを作動させ、排水を停止させる停止信号が入力されたときには圧抜き手段を開き且つ排水ポンプの作動を停止する制御手段を設けることにより、サイフォン現象及び排水ポンプによる排水を行い、洗浄槽内の水の排出を促進し、また、例えば扉が開かれ排水を停止させる信号が制御手段に入力された場合には、サイフォン現象を消滅させて排水を停止することができ、また、排水ポンプを作動させているモータに起電力を生じさせず、モータを駆動する制御部に影響を与えない食器洗浄機を提供することを目的とする。
【０００５】
また、記憶手段に記憶している出力パターンに従い排水ポンプの出力を変化させて排水ポンプを作動させる制御手段を設けることにより、例えば、サイフォン現象が発生している間は、排水ポンプを相対的に低い出力で作動させ、排水ポンプの動作音を低下させる食器洗浄機を提供することを目的とする。
【０００６】
更に、洗浄槽内に供給された水の水位を検出する水位検出器と、該水位検出器が検出した水位に応じて排水ポンプの出力を変化させて排水ポンプを作動させる制御手段とを設けることにより、例えば、前記洗浄槽内に供給された水の水位が、サイフォン現象が発生している水位にある間は、排水ポンプを相対的に低い出力で作動させ、排水ポンプの動作音を低下させることができる食器洗浄機を提供することを目的とする。
【０００７】
また、排水ポンプ内を流れる水の流量を検出する流量検出器と、該流量検出器が検出した水の流量に応じて排水ポンプの出力を変化させて排水ポンプを作動させる制御手段とを設けることにより、例えば、排水ポンプ内を流れる水の流量が減少した場合に排水ポンプを相対的に大きい出力で作動させ、排水に要する時間を削減することができる食器洗浄機を提供することを目的とする。
【０００８】
更に、排水管の入口を洗浄槽に設けられている貯水部底面以下の位置に設けてあり、且つ筐体底部に向けて開口している排水ポンプのポンプ吸込口以下の位置に設けることにより、前記排水管への空気の侵入を防ぎ、サイフォン現象を継続させることができる食器洗浄機を提供することを目的とする。
【０００９】
更にまた、洗浄槽に連通しており洗浄槽内に供給されている水の水位を検出する水位検出器と前記排水管から分岐している分岐管とを連通させ、分岐管に設けられている閉止手段による分岐管内の通流の閉止を排水を行うときに解除することにより、前記分岐管から前記水位検出器の内部に水を還流させ、前記水位検出器の内部の壁面に付着している残渣を洗い流すことができ、精度の高い水位を検出することができる食器洗浄機を提供することを目的とする。
【課題を解決するための手段】
【００１０】
本発明に係る食器洗浄機は、洗浄槽と該洗浄槽を収容している筐体との間に設けられている排水ポンプと、該排水ポンプから延設されており、出口が入口よりも低い位置に設けられている排水管と、該排水管の途中に設けられている圧抜き手段とを備える食器洗浄機において、排水を行うときに前記圧抜き手段を閉じ且つ前記排水ポンプを作動させ、排水を停止させる停止信号が入力されたときには前記圧抜き手段を開き且つ前記排水ポンプの作動を停止する制御手段を備えることを特徴とする。
【００１１】
本発明においては、排水を行うときに、前記圧抜き手段を閉じて前記排水管の内部への空気の侵入を防ぎ、前記排水ポンプを作動させて、前記排水管に水を通流させ、前記排水管の内部に水を満たす。そして前記排水管の出口側に発生している水の張力を前記排水管の入口側に発生している水の張力よりも大きくし、水を移動させるサイフォン現象を発生させて排水ポンプ及びサイフォン現象による排水を行う。また排水を行うときに、排水ポンプを駆動させることにより、排水ポンプを駆動するモータに起電力を生じさせない。また、例えば食器洗浄機の扉が開放されたときには、前記圧抜き手段を開き、前記排水管の内部に空気を侵入させて、サイフォン現象を消滅させ、前記排水ポンプの作動を停止し、排水を停止する。
【００１２】
また本発明に係る食器洗浄機は、前記排水ポンプの出力パターンを記憶している記憶手段と、該記憶手段に記憶している出力パターンに従い前記排水ポンプの出力を変化させて前記排水ポンプを作動させる出力パターン対応制御手段とを備えることを特徴とする。
【００１３】
本発明においては、記憶手段に例えば、排水開始後、サイフォン現象が発生するまでの間は前記排水ポンプを相対的に高い出力で作動させ、サイフォン現象が発生した後、サイフォン現象が消滅するまでの間は前記排水ポンプを相対的に低い出力で作動させ、サイフォン現象が消滅した後、排水が完了するまでの間は、前記排水ポンプを相対的に高い出力で作動させる排水ポンプの出力パターンを設定しておくことにより、例えば、排水開始後、サイフォン現象が発生するまでの間及びサイフォン現象が消滅した後、排水が完了するまでの間は前記排水ポンプを相対的に高い出力で作動させ、サイフォン現象が発生した後、サイフォン現象が消滅するまでの間は前記排水ポンプを相対的に低い出力で作動させる。
【００１４】
また本発明に係る食器洗浄機は、前記洗浄槽内に供給されている水の水位を検出する水位検出器と、該水位検出器が検出した水位に応じて前記排水ポンプの出力を変化させて前記排水ポンプの作動をさせる水位対応制御手段とを備えることを特徴とする。
【００１５】
本発明においては、前記洗浄槽内に供給されている水の水位を検出する前記水位検出器と、前記水位検出器が検出した水位に応じて前記排水ポンプの出力を変化させて前記排水ポンプを作動させる前記水位対応制御手段とを設けることにより、例えば、前記洗浄槽内に供給されている水の水位が、サイフォン現象が発生するまでの水位にある場合は、前記排水ポンプを相対的に高い出力で作動させ、サイフォン現象による排水が十分に行われる高水位にある場合は前記排水ポンプの出力を相対的に低い出力で作動させ、サイフォン現象による排水が十分に行われない低水位にある場合は前記排水ポンプを相対的に大きい出力で作動させる。
【００１６】
また本発明に係る食器洗浄機は、前記排水ポンプ内を流れる水の流量を検出する流量検出器と、該流量検出器が検出した水の流量に応じて前記排水ポンプの出力を変化させて前記排水ポンプを作動させる流量対応制御手段とを備えることを特徴とする。
【００１７】
本発明においては、前記排水ポンプ内を流れる水の流量を検出する前記流量検出器と、前記流量検出器が検出した水の流量に応じて前記排水ポンプの出力を変化させて前記排水ポンプを作動させる前記流量対応制御手段とを設けることにより、例えば、前記排水ポンプ内を流れる水の流量が減少したときは、前記流量対応制御手段は前記排水ポンプの出力を相対的に大きくさせて、排水量を一定にする。
【００１８】
また本発明に係る食器洗浄機は、前記洗浄槽の底面の一部を窪ませてなる貯水部の底面以下であり、且つ前記筐体底部に向けて開口している前記排水ポンプのポンプ吸込口以下の位置に前記排水管の入口が設けられていることを特徴とする。
【００１９】
本発明においては、前記排水管の入口を前記洗浄槽に設けられている前記貯水部底面以下の位置に設け、且つ前記筐体底部に向けて開口している前記排水ポンプの前記ポンプ吸込口以下の位置に設けることにより、前記排水管への空気の侵入を防いでサイフォン現象を継続させて排水を行い、前記貯水部にある水をほとんど排水する。
【００２０】
また本発明に係る食器洗浄機は、洗浄槽と該洗浄槽を収容している筐体との間に設けられている排水ポンプと、該排水ポンプから延設されており、出口が入口よりも低い位置に設けられている排水管とを備える食器洗浄機において、前記洗浄槽に連通しており前記洗浄槽内に供給されている水の水位を検出する水位検出器と、前記排水管から分岐しており前記水位検出器に連通している分岐管と、該分岐管の内部の通流を閉止する閉止手段と、排水を行うときに前記閉止手段による前記分岐管の内部の通流の閉止を解除させる閉止解除制御手段とを備えることを特徴とする。
【００２１】
本発明においては、前記閉止手段により前記分岐管の内部の通流を閉止し、前記排水ポンプを作動させることにより、サイフォン現象及び排水ポンプによる同時的排水を行い効率的な排水を実現できる。また、閉止解除制御手段は、前記閉止手段による前記分岐管の内部の通流の閉止を解除させ、前記分岐管と前記水位検出器とを連通させることにより、排水を行うときに、前記排水管に空気を侵入させてサイフォン現象を発生させず、前記排水ポンプにより吐出された水の一部を前記分岐管を通して前記水位検出器の内部に還流させ、前記水位検出器の内部に付着している残渣を洗い流し、水位の検出精度を高める。
【発明の効果】
【００２２】
本発明に係る食器洗浄機においては、排水を行うときに排水管に設けられている圧抜き手段を閉じ且つ排水ポンプを作動させることにより、サイフォン現象による排水及び前記排水ポンプによる同時的排水を行い、前記洗浄槽内の水の排出を促進することができ、排水ポンプを作動させているモータに起電力を生じさせず、モータを駆動する制御部に影響を与えない。排水を停止させる停止信号が入力されたときには圧抜き手段を開き排水管に空気を侵入させ且つ排水ポンプの作動を停止する制御手段を設けることにより、例えば、利用者が扉を開け、食器洗浄機が排水の途中に一時停止した場合でも、前記制御手段が前記排水ポンプの作動を停止させ且つ排水管の内部に空気を侵入させて、サイフォン現象を消滅させて速やかに排水を停止させることができ、食器洗浄機を再稼動させる時の状態を一時停止させた時の状態と等しくして再稼動を円滑に行うことができる。
【００２３】
また、本発明においては、記憶手段に、例えば排水ポンプを相対的に高い出力で作動させる時間及び相対的に低い出力で作動させる時間を記憶させておいて、排水ポンプの出力パターンを設定しておくことにより、例えば排水開始後、サイフォン現象が発生するまでの間は前記排水ポンプを相対的に高い出力で作動させ、サイフォン現象を速やかに発生させることができる。サイフォン現象が発生した後、サイフォン現象が消滅するまでの間は前記排水ポンプを相対的に低い出力で作動させ、排水ポンプを相対的に高い出力で作動させる時間を短縮し、動作音の発生を抑制することができる。サイフォン現象が消滅した後、排水が完了するまでの間は、前記排水ポンプを相対的に高い出力で作動させ、サイフォン現象による排水が途中で行われなくなり、排水効率が低下することを回避することができる。
【００２４】
更に、本発明においては、前記洗浄槽内に供給された水の水位を検出する前記水位検出器と、前記水位検出器が検出した水位に応じて前記排水ポンプの出力を変化させて前記排水ポンプを作動させる前記水位対応制御手段とを設けることにより、例えば、前記洗浄槽内に供給された水の水位が、サイフォン現象による排水が十分に行われる高水位にある間は、前記排水ポンプを相対的に低い出力で作動させ、前記排水ポンプの動作音を低下させることができる。また、サイフォン現象による排水が十分に行われない低水位になると、前記排水ポンプを相対的に大きい出力で作動させて排水を行い、排水効率が低下することを回避することができる。
【００２５】
また、本発明においては、前記排水ポンプ内を流れる水の流量を検出する前記流量検出器と、前記流量検出器が検出した水の流量に応じて前記排水ポンプの出力を変化させて前記排水ポンプを作動させる前記流量対応制御手段とを設けることにより、例えば、前記排水ポンプ内を流れる水の流量が減少した場合に前記排水ポンプの出力を相対的に大きくし、排水量を一定にして排水に要する時間を削減することができ、排水ポンプを相対的に高い出力で継続して駆動させる場合に比べて、排水ポンプの電力消費を抑えることができる。
【００２６】
更に、本発明においては、前記排水管の入口を前記洗浄槽に設けられている前記貯水部底面以下に設け、且つ前記筐体底部に向けて開口している前記排水ポンプの前記ポンプ吸込口以下に設けることにより、前記排水管に空気又は洗浄の際に発生する泡を侵入させず、サイフォン現象を継続させることができて、前記貯水部にある水をほとんど排水することができる。従って食器の洗浄が終了した後に食器洗浄機の扉を開けた場合でも、目に見える水をほとんど残さず、利用者に不快感を与えることを防止することができる。
【００２７】
また、本発明においては、前記洗浄槽に連通しており前記洗浄槽内に供給されている水の水位を検出する前記水位検出器と前記排水管から分岐している前記分岐管とを連通させ、前記分岐管に設けられている前記閉止手段による前記分岐管内の通流の閉止を排水を行うときに解除することにより、前記排水ポンプにより押出された水の一部を前記分岐管を通して前記水位検出器の内部に還流させ、前記水位検出器の内部の壁面に付着している残渣を洗い流し、水位の検出精度を高め、検出された水位に基づいて正確な給水を行うことができる。
【発明を実施するための最良の形態】
【００２８】
（実施の形態１）
以下本発明を実施の形態１を示す図面に基づいて詳述する。図１は実施の形態１に係る食器洗浄機の要部構成を示す略示側断面図、図２は略示正面断面図、図３は実施の形態１に係る食器洗浄機に設けられている排水ポンプ周辺の要部構成を示す略示拡大背面断面図、図４は排水ポンプのポンプ吸込口周辺の要部構成を示す略示拡大側断面図である。
【００２９】
図において、１は食器洗浄機の外装を成す筐体であり、洗浄槽２が筐体１の内部に設けられ、洗浄槽２の内部には食器類５が載せられる食器かご３が収容されている。洗浄槽２の底部の正面よりの部分が窪んだ形状になっており、窪んだ形状の部分は貯水部１３となっている。貯水部１３の下方には一端側が貯水部１３に連なり、他端側がポンプ吸込管２０に連なる接続パイプ１１が配設されている。接続パイプ１１は筐体１の底部と略平行に配設されている。また、浮きを収容する収容筒を備えるフロート式の水位検出器１９が、貯水部１３と連通しており、筐体１と洗浄槽２の側部との間に設けられている。洗浄槽２の底部付近には、渦巻形状のヒータ４が配設され、筐体１と洗浄槽２の底部との間にはマイクロプロセッサを備える制御部１２が配設されている。
【００３０】
筐体１と洗浄槽２の底部との間であって、筐体１の正背面方向の中央付近に、洗浄、すすぎ及び排水に用いられる排水ポンプ７及び該排水ポンプ７を駆動するポンプモータ２４が設けられている。ポンプ吸込管２０が排水ポンプ７の上下方向中央付近に取着されている。ポンプ吸込管２０は接続パイプ１１の上方に設けられており、ポンプ吸込管２０の排水ポンプ７と反対側の端部が接続パイプ１１に向けて屈曲している。そして、ポンプ吸込管２０の屈曲した部分が接続パイプ１１と接続されている。接続パイプ１１とポンプ吸込管２０との接続部が、筐体１底部に向けて開口しているポンプ吸込口８となっている。排水ポンプ吐出口１０が排水ポンプ７の下部に設けられている。排水ポンプ７に連なる排水管１５が、筐体１と洗浄槽２の底部との間に設けられ、排水管１５の入口は排水ポンプ吐出口１０となっている。
【００３１】
排水管１５は排水ポンプ７の内部から筐体１の背部に向けて、筐体１の底部と略平行に設けられており、筐体１背部付近で、筐体１背部と洗浄槽２との間を上方に延設され、圧抜き手段としても機能する分岐管１６と接続してある。排水管１５が分岐管１６と接続されている部分を頂点として排水管１５は下方に向けて延び、筐体１の外であって、排水ポンプ吐出口１０よりも低い位置に排水管１５の出口が設けられている。分岐管１６は洗浄槽２の後部に向けて延びている。
【００３２】
水位検出器１９の収容筒及び洗浄槽２の後部には穴が設けてあり、両方の穴に分岐管１６は挿通されている。また、分岐管１６の排水管１５との接続部付近に電磁弁１４が取着されている。
【００３３】
なお、筐体１の底面から貯水部１３の底面までの高さをｘ、筐体１の底面からポンプ吸込口８までの高さをｙ、筐体１の底面から排水ポンプ吐出口１０までの高さをｚとすると、ｚ≦ｘ且つｚ≦ｙとなるように排水管１５は設けられている。
【００３４】
電磁弁１４を閉じて、排水ポンプ７を駆動させると、排水管１５の出口は排水ポンプ吐出口１０（排水管１５の入口）よりも低い位置に設けられていることにより、排水管１５の出口側に発生している水の張力が排水管１５の入口側に発生している水の張力よりも大きくなり、水を移動させるサイフォン現象が発生し、貯水部１３の内部に溜まっている水が排水管１５を通り食器洗浄機の外に排出され、排水ポンプ７及びサイフォン現象による排水が行われる。
【００３５】
また、ｚ≦ｘ且つｚ≦ｙとなるように排水管１５は設けられているので、排水管１５の入口は、貯水部１３の底面及び排水ポンプ吐出口１０と比較して最も低い高さに設けられており、排水時に貯水部１３に溜まっている水が少なくなった場合でも、排水管１５の入口への空気の侵入はほとんど起きず、サイフォン現象が継続される。
【００３６】
図５は実施の形態１に係る食器洗浄機の制御部１２周りの概略ブロック図である。
【００３７】
制御部１２は後述する排水処理及び割込処理を実行するＣＰＵ１２ａ，排水を制御する制御プログラムが格納されているＲＯＭ１２ｂ，入力された情報を一時的に記憶するＲＡＭ１２ｃ，扉開閉検出器２５が接続されている入力ポート１２ｄ及びポンプモータ駆動回路１７及び電磁弁駆動回路１８が接続されている出力ポート１２ｅを備える。制御部１２には扉開閉検出器２５から扉の開閉信号が入力される。ＣＰＵ１２ａはポンプモータ駆動回路１７に対しオン又はオフ信号を出力し、電磁弁駆動回路１８に対し電磁弁１４の開閉信号を出力する。
【００３８】
図６及び図７はＣＰＵ１２ａの排水処理を示すフローチャートである。排水処理は扉開閉検出器２５から閉信号が制御部１２に入力されている場合に洗浄槽２の内部に溜まった水を排水する処理である。食器洗浄機の洗浄又はすすぎ運転が、洗浄液又は水を洗浄槽２に溜めて行われている間は、サイフォン現象の発生を防止するため、電磁弁１４は開いており、洗浄又はすすぎ運転が終了すると、排水運転が開始され、ＣＰＵ１２ａの排水処理が行われる。ＣＰＵ１２ａは、電磁弁駆動回路１８に対し出力ポート１２ｅを介して閉信号を出力し（Ｓ６０１）電磁弁１４を閉じる。次にＣＰＵ１２ａはポンプモータ駆動回路１７に対し出力ポート１２ｅを介してオン信号及び高回転数で駆動させる信号を出力し（Ｓ６０２）ポンプモータ２４を駆動させ排水ポンプ７を作動させる。次にＣＰＵ１２ａは、ポンプモータ駆動回路１７にオン信号が出力されてからの経過時間の計時をタイマを用いて開始し（Ｓ６０３）経過時間をインクリメントする（Ｓ６０４）。
【００３９】
次にＣＰＵ１２ａは、サイフォン現象が発生するまでに要するサイフォン現象発生時間（Ｔ１）が経過しているか否かをタイマを用いて判断する（Ｓ６０５）。Ｔ１が経過していない場合は（Ｓ６０５：ＮＯ）サイフォン現象が発生しておらず、経過時間のインクリメントにＣＰＵ１２ａは戻る（Ｓ６０４）。Ｔ１が経過している場合は（Ｓ６０５：ＹＥＳ）サイフォン現象が発生しており、ＣＰＵ１２ａは、ポンプモータ２４の回転数を低下させる信号をポンプモータ駆動回路１７に対し出力し（Ｓ６０６）排水ポンプ７の出力を低下させる。次にＣＰＵ１２ａは経過時間をインクリメントする（Ｓ６０７）。
【００４０】
ＣＰＵ１２ａは、ポンプモータ２４の回転数を低下させた後サイフォン現象が消滅するまでに要するサイフォン現象消滅時間（Ｔ２）が経過しているか否かをタイマを用いて判断する（Ｓ６０８）。Ｔ２が経過していない場合は（Ｓ６０８：ＮＯ）サイフォン現象が消滅しておらず、経過時間のインクリメントに戻る（Ｓ６０７）。Ｔ２が経過している場合は（Ｓ６０８：ＹＥＳ）サイフォン現象が消滅しており、ＣＰＵ１２ａはポンプモータ２４の回転数を上昇させる信号をポンプモータ駆動回路１７に対し出力し（Ｓ６０９）排水ポンプ７の出力を上昇させる。次にＣＰＵ１２ａは経過時間をインクリメントする（Ｓ６１０）。
【００４１】
ポンプモータ２４の回転数が上昇した後、排水が完了するまでに要する排水完了時間（Ｔ３）が経過しているか否かをタイマを用いてＣＰＵ１２ａは判断する（Ｓ６１１）。Ｔ３が経過していない場合は（Ｓ６１１：ＮＯ）排水が完了しておらず、経過時間のインクリメントに戻る（Ｓ６１０）。Ｔ３が経過している場合は（Ｓ６１１：ＹＥＳ）排水が完了しており、ＣＰＵ１２ａはポンプモータ２４を停止させるオフ信号をポンプモータ駆動回路１７に対し出力し（Ｓ６１２）排水ポンプ７を停止させる。その後、ＣＰＵ１２ａは電磁弁駆動回路１８に対し開信号を出力し（Ｓ６１３）タイマに経過時間の計時を終了させタイマをリセットし（Ｓ６１４）排水処理を終了する。
【００４２】
図８はＣＰＵ１２ａの割込処理を示すフローチャートである。割込処理とは、扉開閉検出器２５から制御部１２に開信号が入力された場合に排水処理を停止する処理を言う。扉開閉検出器２５から開信号が入力されると、ＣＰＵ１２ａは排水処理を停止する（Ｓ８０１）。そして、ＣＰＵ１２ａはポンプモータ駆動回路１７に対しオフ信号を出力する（Ｓ８０２）。次にＣＰＵ１２ａは電磁弁駆動回路１８に対し開信号を出力し（Ｓ８０３）排水処理を停止する。
【００４３】
実施の形態１に係る食器洗浄機においては、電磁弁１４を閉じ、排水ポンプ７を作動させることにより、サイフォン現象を発生させて、サイフォン現象及び排水ポンプ７による同時的排水を行い、前記洗浄槽２内の水の排出を促進することができる。また、利用者が扉を開け、食器洗浄機が排水の途中に一時停止した場合でも排水ポンプ７の作動を停止させ、電磁弁１４を開き、分岐管１６の内部を通流させてサイフォン現象を消滅させる。従って速やかに排水を停止することができ、食器洗浄機を再稼動させる時の状態が一時停止させた時の状態と等しくなり、再稼動が円滑に行われる。
【００４４】
また、ＣＰＵ１２ａがタイマを用いてＴ１，Ｔ２及びＴ３の経過を判断し、Ｔ１，Ｔ２及びＴ３の経過に応じて排水ポンプ７の出力を変化させて排水ポンプ７を作動させることにより、サイフォン現象が発生するまでの間は排水ポンプ７を相対的に高い出力で作動させて、速やかにサイフォン現象を発生させる。サイフォン現象が発生している間は、排水ポンプ７を相対的に低い出力で作動させ、排水ポンプ７を相対的に高い出力で作動させる時間を短縮し、排水ポンプ７の動作音を低下させることができる。サイフォン現象が消滅している場合は、ＣＰＵ１２ａは排水ポンプ７を相対的に高い出力で作動させ、サイフォン現象が排水の途中で消滅しサイフォン現象による排水が行われなくなり、排水効率が下がることを回避することができる。
【００４５】
また、排水管１５の入口は、貯水部１３の底面及びポンプ吸込口８と比較して最も低い高さに設けられており、排水時に貯水部１３に溜まっている水が少なくなった場合でも、排水管１５の入口への空気の侵入はほとんど起きず、サイフォン現象が継続される。従って貯水部１３にある水をほとんど排水することができ、食器の洗浄が終了した後に食器洗浄機の扉を開けた場合でも、目に見える水をほとんど残さず、利用者に不快感を与えることを防止する。
【００４６】
なお、実施の形態１においては、食器洗浄機が一時停止する場合として扉が開放される場合を記載しているが、排水ポンプの作動に異常が生じた場合等、その他の要因で食器洗浄機が一時停止する場合であっても良い。また、排水ポンプは排水専用のポンプであっても良い。
【００４７】
（実施の形態２）
以下本発明を実施の形態２を示す図面に基づいて詳述する。図９は実施の形態２についての排水ポンプ７に流入する水の流量を検出するオリフィス流量計４０の要部構成を示す略示側断面図、図１０は実施の形態２に係る食器洗浄機の制御部周りの概略ブロック図である。
【００４８】
ポンプ吸込管２０の途中に円環状のオリフィス板４３を取り付けており、オリフィス板４３を挟んで上流側のポンプ吸込管２０に、水の圧力を検出する第１圧力検出器４１が設けられており、オリフィス板４３を挟んで下流側のポンプ吸込管２０に、水の圧力を検出する第２圧力検出器４２が設けられてなるオリフィス流量計４０がポンプ吸込管２０に備えられている。
【００４９】
制御部２２は後述する排水処理及び割込処理を実行するＣＰＵ２２ａ，排水を制御する制御プログラムが格納されているＲＯＭ２２ｂ，制御部２２に入力された情報を一時的に記憶するＲＡＭ２２ｃ，第１圧力検出器４１、第２圧力検出器４２、水位検出器１９及び扉開閉検出器２５が接続されている入力ポート２２ｄ及びポンプモータ駆動回路１７及び電磁弁駆動回路１８が接続されている出力ポート２２ｅを備える。制御部２２には扉開閉検出器２５から扉の開閉信号及び水位検出器１９から洗浄槽２の内部に溜まっている水の水位を示す信号が入力され、第１圧力検出器４１及び第２圧力検出器４２から水圧を示す信号が入力される。ＣＰＵ２２ａはポンプモータ駆動回路１７に対しオン又はオフ信号を出力し、電磁弁駆動回路１８に対し電磁弁１４の開閉信号を出力する。
【００５０】
図１１は実施の形態２についてのＣＰＵ２２ａの排水処理を示すフローチャートである。排水処理は扉開閉検出器２５から閉信号が制御部２２に入力されている場合に行われる洗浄槽２の内部に溜まった水を排水する処理である。
【００５１】
食器洗浄機の洗浄又はすすぎ運転が、洗浄液又は水を洗浄槽２に溜めて行われている間は、サイフォン現象の発生を防止するため、電磁弁１４は開いており、洗浄又はすすぎ運転が終了すると、排水運転が開始され、ＣＰＵ２２ａの排水処理が行われる。ＣＰＵ２２ａは、出力ポート２２ｅを介して電磁弁駆動回路１８に対し閉信号を出力し（Ｓ１１０１）電磁弁１４を閉じる。次にＣＰＵ２２ａはポンプモータ駆動回路１７に対しオン信号及び高回転数で駆動させる信号を出力ポート２２ｅを介して出力し（Ｓ１１０２）ポンプモータ２４を駆動させて排水ポンプ７を作動させる。
【００５２】
次にＣＰＵ２２ａはサイフォン現象が発生している水位であるか否か判断する（Ｓ１１０３）。この判断はＣＰＵ２２ａが、水位検出器１９から入力される洗浄槽２の水位を示す信号をＲＡＭ２２ｃに取り込ませ、ＲＯＭ２２ｂに記憶されているサイフォン現象が発生する水位及びＲＡＭ２２ｃに取り込ませた信号が示す水位を比較して行う。ＲＡＭ２２ｃに取り込ませた信号が示す水位がＲＯＭ２２ｂに記憶されているサイフォン現象が発生する水位より高く、サイフォン現象が発生している水位でない場合は（Ｓ１１０３：ＮＯ）ＣＰＵ２２ａはサイフォン現象が発生している水位であるか否かの判断に戻る（Ｓ１１０３）。
【００５３】
検出した水位がＲＯＭ２２ｂに記憶されているサイフォン現象が発生する水位以下であり、サイフォン現象が発生している水位である場合は（Ｓ１１０３：ＹＥＳ）サイフォン現象が発生しており、ＣＰＵ２２ａはポンプモータ駆動回路１７に対しポンプモータ２４の回転数を低下させる信号を出力する（Ｓ１１０４）。次に、排水ポンプ７への水の流入量が一定流入量未満であるか否か判断する（Ｓ１１０５）。この判断はＣＰＵ２２ａが、第１圧力検出器４１及び第２圧力検出器４２から取り込んだ信号に基づいて、第１圧力検出器４１及び第２圧力検出器４２が設けられている箇所で検出された水圧の差を算出し、前記水圧の差に基づいてポンプ吸込み管２０に流入する水の流量を算出し，ＲＯＭ２２ｂに記憶されている水の一定流入量と比較させて行う。
【００５４】
排水ポンプ７への水の流入量が一定流入量以上である場合は（Ｓ１１０５：ＮＯ）排水ポンプ７への水の流入量が一定流入量未満であるか否かの判断に戻る（Ｓ１１０５）。排水ポンプ７への水の流入量が一定流入量未満である場合は（Ｓ１１０５：ＹＥＳ）排水が完了している水位であるか否か判断する（Ｓ１１０６）。この判断はＣＰＵ２２ａが、水位検出器１９から入力される洗浄槽２の水位を示す信号をＲＡＭ２２ｃに取り込ませ、ＲＡＭ２２ｃに取り込ませた信号が示す水位及びＲＯＭ２２ｂに記憶されている排水が完了している水位を比較して行う。ＲＡＭ２２ｃに取り込ませた信号が示す水位が排水が完了している水位でない場合は（Ｓ１１０６：ＮＯ）ＣＰＵ２２ａはポンプモータ駆動回路１７に対しポンプモータ２４の回転数を上昇させる信号を出力し（Ｓ１１０８）排水ポンプ７への水の流入量を一定流入量にさせる。そして排水ポンプ７への水の流入量が一定流入量未満であるか否か判断に戻る（Ｓ１１０５）。
【００５５】
ＲＡＭ２２ｃに取り込ませた信号が示す水位が排水が完了している水位である場合は（Ｓ１１０６：ＹＥＳ）ＣＰＵ２２ａはポンプモータ駆動回路１７に対しオフ信号を出力し（Ｓ１１０８）排水ポンプ７を停止させる。またＣＰＵ２２ａは電磁弁駆動回路１８に対し開信号を出力し（Ｓ１１０９）電磁弁１４を開き排水処理を終了する。なお、割込処理については実施の形態１と同様でありその詳細な説明は省略する。
【００５６】
実施の形態２に係る食器洗浄機においては、水位検出器１９を用いて検出された水位及びオリフィス流量計４０を用いて検出された排水ポンプ７に流入する水の流量に応じて、ＣＰＵ２２ａが排水ポンプ７の出力を変化させて排水ポンプ７を作動させることにより、サイフォン現象が発生している間は、排水ポンプ７を相対的に低い出力で作動させ、排水ポンプ７の動作音を低下させることができ、相対的に高い出力で排水ポンプ７を駆動させる場合と比較して、排水ポンプ７の電力消費を抑えることができる。また、排水ポンプ７の内部を流れる水の流量が減少した場合に排水ポンプ７を相対的に高い出力で作動させて、排水量を一定にし、排水に要する時間を削減することができる。
【００５７】
なお、実施の形態２においては、排水ポンプ７へ流入する水の流量に応じてポンプモータ２４の回転数を変化させているが、排水ポンプ７から流出する水の流量に応じてポンプモータ２４の回転数を変化させるものであっても良い。排水ポンプ７に流入する水の流量を検出する流量検出手段は、差圧流量計、可動ベーン式流量計、熱線式流量計等の他の流量検出手段であっても良い。
【００５８】
その他の実施の形態２に係る食器洗浄機の構成の内、実施の形態１に係る構成と同様な構成については、同じ符号を付し、その詳細な説明を省略する。
【００５９】
（実施の形態３）
以下本発明を実施の形態３に係る食器洗浄機を示す図面に基づいて詳述する。図１２は実施の形態３に係る食器洗浄機の制御部周りの概略ブロック図、図１３は実施の形態３についてのＣＰＵ３２ａの排水処理を示すフローチャートである。排水処理は食器洗浄機の扉が閉じている間に行われる洗浄槽２の内部に溜まった水を排水する処理である。
【００６０】
制御部３２は後述する排水処理及び割込処理を実行するＣＰＵ３２ａ，排水を制御する制御プログラムが格納されているＲＯＭ３２ｂ，制御部３２に入力された情報を一時的に記憶するＲＡＭ３２ｃ，水位検出器１９及び扉開閉検出器２５が接続されている入力ポート３２ｄ及びポンプモータ駆動回路１７及び電磁弁駆動回路１８が接続されている出力ポート３２ｅを備える。制御部３２には扉開閉検出器２５から扉の開閉信号が入力され、水位検出器１９から洗浄槽２の内部に溜まっている水の水位を示す信号が入力される。ＣＰＵ３２ａはポンプモータ駆動回路１７に対しオン又はオフ信号を出力し、電磁弁駆動回路１８に対し電磁弁１４の開閉信号を出力する。
【００６１】
食器洗浄機の洗浄又はすすぎ運転が、洗浄液又は水を洗浄槽２に溜めて行われている間は、サイフォン現象の発生を防止するため、電磁弁１４は開いており、洗浄又はすすぎ運転が終了すると、排水運転が開始され、ＣＰＵ３２ａの排水処理が行われる。ＣＰＵ３２ａは、ポンプモータ駆動回路１７に対しオン信号を出力ポート３２ｅを介して出力し（Ｓ１３０１）ポンプモータ２４を駆動させて排水ポンプ７を作動させる。ＣＰＵ３２ａは排水ポンプ７を作動させ、電磁弁１４を開いておくことで、排水の一部を分岐管１６の内部に通流させ水位検出器１９の収容筒に還流させる。次にＣＰＵ３２ａは水位検出器１９の収容筒の清掃が完了した水位であるか否か判断する（Ｓ１３０２）。この判断は、ＣＰＵ３２ａが、水位検出器１９から入力される洗浄槽２の水位を示す信号をＲＡＭ３２ｃに取り込ませ、ＲＯＭ３２ｂに記憶されている水位検出器１９の収容筒の清掃が完了したことを示す水位及びＲＡＭ３２ｃに取り込ませた信号が示す水位を比較して行う。水位検出器１９の収容筒の清掃が完了した水位でない場合は（Ｓ１３０２：ＮＯ）水位検出器１９の収容筒の清掃が完了した水位であるか否かの判断に戻る（Ｓ１３０２）。
【００６２】
水位検出器１９の収容筒の清掃が完了した水位である場合は（Ｓ１３０２：ＹＥＳ）ＣＰＵ３２ａは電磁弁駆動回路１８に対し出力ポート３２ｅを介して閉信号を出力する（Ｓ１３０３）。次にＣＰＵ３２ａは排水が完了している水位であるか否かを判断する（Ｓ１３０４）。この判断は、ＣＰＵ３２ａが水位検出器１９から入力される洗浄槽２の水位を示す信号をＲＡＭ３２ｃに取り込ませ、ＲＯＭ３２ｂに記憶されている排水が完了したことを示す水位及びＲＡＭ３２ｃに取り込ませた信号が示す水位を比較して行う。排水が完了している水位でない場合は（Ｓ１３０４：ＮＯ）排水が完了している水位であるか否かの判断にＣＰＵ３２ａは戻る（Ｓ１３０４）。排水が完了している水位である場合は（Ｓ１３０４：ＹＥＳ）ＣＰＵ３２ａはポンプモータ駆動回路１７に対しオフ信号を出力し（Ｓ１３０５）排水ポンプ７を停止させる。そしてＣＰＵ３２ａは電磁弁駆動回路１８に対し開信号を出力し（Ｓ１３０６）電磁弁１４を開きサイフォン現象を消滅させ排水処理を終了する。なお、割込処理については実施の形態１又は２と同様でありその詳細な説明は省略する。
【００６３】
実施の形態３に係る食器洗浄機においては、排水運転初期にて、電磁弁１４を開き、分岐管１６の内部に水を通流させて、水位検出器１９の内部に水を還流させる。そして、水位検出器１９の内部の残滓を洗い流し、水位の検出精度を高め、検出された水位に基づいて正確な給水を行うことができる。また、水位検出器１９の内部の壁面に付着した残渣から悪臭が発生することを防ぐことができる。また、電磁弁１４を閉じ、分岐管１６の内部の通流を閉止した後は、サイフォン現象を発生させ、サイフォン現象及び排水ポンプ７による同時的排水を行い、排水効率を高めることができる。
【００６４】
実施の形態３に係る食器洗浄乾燥機の構成の内、実施の形態１又は２と同様の構成については、同じ符号を付しその詳細な説明を省略する。
【図面の簡単な説明】
【００６５】
【図１】実施の形態１に係る食器洗浄機の要部構成を示す略示側断面図である。
【図２】実施の形態１に係る食器洗浄機の要部構成を示す略示正面断面図である。
【図３】実施の形態１に係る食器洗浄機に設けられている排水ポンプ周辺の要部構成を示す略示拡大断面図である。
【図４】実施の形態１に係る食器洗浄機に設けられている排水ポンプのポンプ吸込口周辺の要部構成を示す略示拡大側断面図である。
【図５】実施の形態１に係る食器洗浄機の制御部周りについての概略ブロック図である。
【図６】実施の形態１に係る食器洗浄機のＣＰＵの排水処理を示すフローチャートである。
【図７】実施の形態１に係る食器洗浄機のＣＰＵの排水処理を示すフローチャートである。
【図８】実施の形態１に係る食器洗浄機のＣＰＵの割込処理を示すフローチャートである。
【図９】実施の形態２についての排水ポンプに流入する水の流量を検出するオリフィス流量計の要部構成を示す略示側断面図である。
【図１０】実施の形態２に係る食器洗浄機の制御部周りの概略ブロック図である。
【図１１】実施の形態２に係る食器洗浄機のＣＰＵの排水処理を示すフローチャートである。
【図１２】実施の形態３に係る食器洗浄機の制御部周りについての概略ブロック図である。
【図１３】実施の形態３に係る食器洗浄機のＣＰＵの排水処理を示すフローチャートである。
【符号の説明】
【００６６】
１  筐体
２  洗浄槽
７  排水ポンプ
８  ポンプ吸込口
１１  接続パイプ
１２、２２、３２  制御部
１３  貯水部
１４  電磁弁
１５  排水管
１６  分岐管
１７  ポンプモータ駆動回路
１８  電磁弁駆動回路
１９  水位検出器
２０  ポンプ吸込管
２４  ポンプモータ
４０  オリフィス流量計
【図１】
2007319604.tif 000003
【図２】
2007319604.tif 000004
【図３】
2007319604.tif 000005
【図４】
2007319604.tif 000006
【図５】
2007319604.tif 000007
【図６】
2007319604.tif 000008
【図７】
2007319604.tif 000009
【図８】
2007319604.tif 000010
【図９】
2007319604.tif 000011
【図１０】
2007319604.tif 000012
【図１１】
2007319604.tif 000013
【図１２】
2007319604.tif 000014
【図１３】
2007319604.tif 000015